(57)【要約】  本公開は、入力シリアルの処理方法、装置、デバイス及び不発揮性コンピュータ記憶媒体を提供する。本公開の実施例は、ユーザーのアプリでの入力シリアルを獲得し、さらに、前記入力シリアルと前記ユーザーのユーザー特徴データに基づいて、拡張シリアルを獲得して、前記拡張シリアルを利用して、前記入力シリアルを調整して調整シリアルを獲得するようにして、前記アプリに前記調整シリアルを利用してアプリ関連の操作を行わせ、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、従来技術でユーザーがアプリを利用して操作結果を繰り返して閲覧しまたは入力方法アプリを利用して入力を繰り返して行って、アプリと該アプリが利用する処理エンジンとの間のデータ交換を増加させる問題を回避でき、検索エンジンの処理負荷を低下させる。
2018508081.tif 000002
【特許請求の範囲】
【請求項１】
ユーザーのアプリでの入力シリアルを獲得し、
前記入力シリアルと前記ユーザーのユーザー特徴データに基づいて、拡張シリアルを獲得し、
前記拡張シリアルを利用して、前記入力シリアルを調整して調整シリアルを獲得し、前記アプリに前記調整シリアルを利用してアプリ関連の操作を行わせることを含む
入力シリアルの処理方法。
【請求項２】
前記ユーザーのユーザー特徴データは、
ユーザー属性データ、及び
所在端末の環境データにおける少なくとも一つを含む
請求項１に記載の入力シリアルの処理方法。
【請求項３】
前記入力シリアルと前記ユーザーのユーザー特徴データに基づいて、拡張シリアルを獲得する前に、さらに、
前記ユーザーのアプリデータに基づいて、前記ユーザーのユーザー特徴データを獲得し、前記ユーザーのアプリデータは、前記ユーザーの入力データと所在端末の端末データにおける少なくとも一つを含む
請求項１または２に記載の入力シリアルの処理方法。
【請求項４】
前記拡張シリアルを利用して、前記入力シリアルを調整して調整シリアルを獲得することは、
前記拡張シリアルを前記入力シリアルに増加させて、前記調整シリアルを獲得し、または、
前記拡張シリアルに基づいて、前記入力シリアルを修正して前記調整シリアルを獲得することを含む
請求項１〜３における何れかの一項に記載の入力シリアルの処理方法。
【請求項５】
前記入力シリアルと前記ユーザーのユーザー特徴データに基づいて、拡張シリアルを獲得することは、
前記アプリの入力場面が検索入力であれば、前記入力シリアルと前記ユーザーのユーザー特徴データに基づいて、拡張シリアルを獲得することを含む
請求項１〜４における何れかの一項に記載の入力シリアルの処理方法。
【請求項６】
ユーザーのアプリでの入力シリアルを獲得する獲得手段と、
前記入力シリアルと前記ユーザーのユーザー特徴データに基づいて、拡張シリアルを獲得する拡張手段と、
前記拡張シリアルを利用して、前記入力シリアルを調整して調整シリアルを獲得し、前記アプリに前記調整シリアルを利用してアプリ関連の操作を行わせる調整手段とを含む
入力シリアルの処理装置。
【請求項７】
前記ユーザーのユーザー特徴データは、
ユーザー属性データ、及び
所在端末の環境データにおける少なくとも一つを含む
請求項６に記載の入力シリアルの処理装置。
【請求項８】
前記ユーザーのアプリデータに基づいて、前記ユーザーのユーザー特徴データを獲得する分析手段を含み、前記ユーザーのアプリデータは、前記ユーザーの入力データと所在端末の端末データにおける少なくとも一つをさらに含む
請求項６または７に記載の入力シリアルの処理装置。
【請求項９】
前記調整手段は、具体的に、
前記拡張シリアルを前記入力シリアルに増加させて、前記調整シリアルを獲得し、または、
前記拡張シリアルに基づいて、前記入力シリアルを修正して前記調整シリアルを獲得する
請求項６〜８における何れかの一項に記載の入力シリアルの処理装置。
【請求項１０】
前記拡張手段は、具体的に、
前記アプリの入力場面が検索入力であれば、前記入力シリアルと前記ユーザーのユーザー特徴データに基づいて、拡張シリアルを獲得する
請求項６〜８における何れかの一項に記載の入力シリアルの処理装置。
【請求項１１】
一つ又は複数のプロセッサーと、
メモリと、
一つ又は複数のプログラムを含むデバイスであって、前記一つ又は複数のプログラムは前記メモリに記憶されて、前記一つ又は複数のプロセッサーによって実行される時に、
ユーザーのアプリでの入力シリアルを獲得し、
前記入力シリアルと前記ユーザーのユーザー特徴データに基づいて、拡張シリアルを獲得し、
前記拡張シリアルを利用して、前記入力シリアルを調整して調整シリアルを獲得し、前記アプリに前記調整シリアルを利用してアプリ関連の操作を行わせる
デバイス。
【請求項１２】
コンピューターに、
ユーザーのアプリでの入力シリアルを獲得し、
前記入力シリアルと前記ユーザーのユーザー特徴データに基づいて、拡張シリアルを獲得し、
前記拡張シリアルを利用して、前記入力シリアルを調整して調整シリアルを獲得し、前記アプリに前記調整シリアルを利用してアプリ関連の操作を行わせる
プログラム。
【発明の詳細な説明】
【技術分野】
【０００１】
本出願は、出願日が2015年11月03日で、出願番号が201510736672.3で、発明名称が「入力シリアルの処理方法及び装置」である中国特許出願の優先権を要求する。
【０００２】
本公開は、入力方法技術に関し、特に、入力シリアルの処理方法、装置、デバイス及び不発揮性コンピュータ記憶媒体に関する。
【背景技術】
【０００３】
アプリ（Application、APP）、例えば、Windows（登録商標）アプリ、アンドロイド（Android（登録商標））アプリ、iosアプリ等は、一般的に、全部ユーザーが入力方法アプリを通じて情報の入力を行う必要がある。一般的には、入力方法アプリは、ユーザーが入力した文字シリアルに基づいて、ユーザーに該文字シリアルに対応する幾らの候補項目を表示して、ユーザーが一つの候補項目を選択して入力シリアルとして、ディスプレイ表示操作を行う。
【０００４】
しかし、入力方法アプリが入力した入力シリアルに完全に依存してアプリに関連する操作を実行して獲得した操作結果は、ユーザーの真止な操作意図、例えば、ユーザーが検索類のアプリに必要な検索キーワード等の操作意図を満足できないので、ユーザーがアプリを利用して操作結果を繰り返して閲覧又は入力方法アプリを利用して繰り返して入力してこそ、操作意図を満足する操作結果を獲得でき、このようにして、アプリと該アプリが使用する処理エンジンとの間のデータ交換が増加し、処理エンジンの処理負荷を増加させる。
【発明の概要】
【発明が解決しようとする課題】
【０００５】
本公開の複数の方面は、処理エンジンの処理負荷を低下させる入力シリアルの処理方法、装置、デバイス及び不発揮性コンピュータ記憶媒体を提供する。
【０００６】
本公開の一方面は、ユーザーのアプリでの入力シリアルを獲得し、前記入力シリアルと前記ユーザーのユーザー特徴データに基づいて、拡張シリアルを獲得し、前記拡張シリアルを利用して、前記入力シリアルを調整して調整シリアルを獲得し、前記アプリに前記調整シリアルを利用してアプリ関連の操作を行わせる入力シリアルの処理方法を提供する。
【０００７】
前記の方面と何れか一つの可能な実現方式によると、さらに一実現方式を提供するが、前記ユーザーのユーザー特徴データは、ユーザー属性データ、及び所在端末の環境データにおける少なくとも一つを含む。
【０００８】
前記の方面と何れか一つの可能な実現方式によると、さらに一実現方式を提供するが、前記入力シリアルと前記ユーザーのユーザー特徴データに基づいて、拡張シリアルを獲得する前に、さらに、前記ユーザーのアプリデータに基づいて、前記ユーザーのユーザー特徴データを獲得し、前記ユーザーのアプリデータは、前記ユーザーの入力データと所在端末の端末データにおける少なくとも一つを含む。
【０００９】
前記の方面と何れか一つの可能な実現方式によると、さらに一実現方式を提供するが、前記拡張シリアルを利用して、前記入力シリアルを調整して調整シリアルを獲得することは、前記拡張シリアルを前記入力シリアルに増加させて、前記調整シリアルを獲得し、または、前記拡張シリアルに基づいて、前記入力シリアルを修正して前記調整シリアルを獲得することを含む。
【００１０】
前記の方面と何れか一つの可能な実現方式によると、さらに一実現方式を提供するが、前記入力シリアルと前記ユーザーのユーザー特徴データに基づいて、拡張シリアルを獲得することは、前記アプリの入力場面が検索入力であれば、前記入力シリアルと前記ユーザーのユーザー特徴データに基づいて、拡張シリアルを獲得することを含む。
【００１１】
本公開の他の一方面は、ユーザーのアプリでの入力シリアルを獲得する獲得手段と、前記入力シリアルと前記ユーザーのユーザー特徴データに基づいて、拡張シリアルを獲得する拡張手段と、前記拡張シリアルを利用して、前記入力シリアルを調整して調整シリアルを獲得し、前記アプリに前記調整シリアルを利用してアプリ関連の操作を行わせる調整手段とを含む入力シリアルの処理装置を提供する。
【００１２】
前記の方面と何れか一つの可能な実現方式によると、さらに一実現方式を提供するが、前記ユーザーのユーザー特徴データは、ユーザー属性データ、及び所在端末の環境データにおける少なくとも一つを含む。
【００１３】
前記の方面と何れか一つの可能な実現方式によると、さらに一実現方式を提供するが、前記装置は、さらに、前記ユーザーのアプリデータに基づいて、前記ユーザーのユーザー特徴データを獲得する分析手段を含み、前記ユーザーのアプリデータは、前記ユーザーの入力データと所在端末の端末データにおける少なくとも一つを含む。
【００１４】
前記の方面と何れか一つの可能な実現方式によると、さらに一実現方式を提供するが、前記調整手段は、具体的に、前記拡張シリアルを前記入力シリアルに増加させて、前記調整シリアルを獲得し、または、前記拡張シリアルに基づいて、前記入力シリアルを修正して前記調整シリアルを獲得する。
【００１５】
前記の方面と何れか一つの可能な実現方式によると、さらに一実現方式を提供するが、前記拡張手段は、具体的に、前記アプリの入力場面が検索入力であれば、前記入力シリアルと前記ユーザーのユーザー特徴データに基づいて、拡張シリアルを獲得する。
【００１６】
本公開の他の一方面は、一つ又は複数のプロセッサーと、メモリと、一つ又は複数のプログラムを含むデバイスであって、前記一つ又は複数のプログラムは前記メモリに記憶されて、前記一つ又は複数のプロセッサーによって実行される時に、ユーザーのアプリでの入力シリアルを獲得し、前記入力シリアルと前記ユーザーのユーザー特徴データに基づいて、拡張シリアルを獲得し、前記拡張シリアルを利用して、前記入力シリアルを調整して調整シリアルを獲得し、前記アプリに前記調整シリアルを利用してアプリ関連の操作を行わせるデバイスを提供する。
【００１７】
本公開の他の一方面は、一つ又は複数のプログラムを記憶する不発揮性コンピューター記憶媒体であって、前記一つ又は複数のプログラムが一つのデバイスによって実行される時に、前記デバイスに、ユーザーのアプリでの入力シリアルを獲得し、前記入力シリアルと前記ユーザーのユーザー特徴データに基づいて、拡張シリアルを獲得し、前記拡張シリアルを利用して、前記入力シリアルを調整して調整シリアルを獲得し、前記アプリに前記調整シリアルを利用してアプリ関連の操作を行わせる不発揮性コンピューター記憶媒体を提供する。
【００１８】
前記技術方案によると、本公開の実施例は、ユーザーのアプリでの入力シリアルを獲得し、さらに、前記入力シリアルと前記ユーザーのユーザー特徴データに基づいて、拡張シリアルを獲得して、前記拡張シリアルを利用して、前記入力シリアルを調整して調整シリアルを獲得するようにして、前記アプリに前記調整シリアルを利用してアプリ関連の操作を行わせ、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、従来技術でユーザーがアプリを利用して操作結果を繰り返して閲覧しまたは入力方法アプリを利用して入力を繰り返して行って、アプリと該アプリが利用する処理エンジンとの間のデータ交換を増加させる問題を回避でき、検索エンジンの処理負荷を低下させる。
【００１９】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、操作結果の有効性を有効に向上させる。
【００２０】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、検索の効率を有効に向上させる。
【００２１】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、ユーザーの体験を極大に向上させる。
【図面の簡単な説明】
【００２２】
本公開の実施例の技術案を更に明確に説明するために、実施例又は従来技術で使用する必要がある図面を簡単に紹介するが、下に記述する図面は単に本発明の一部の実施例として、本領域の技術者であれば創造的な労働をしないでこれらの図面に基づいて他の図面を得られることは容易なことである。
【図１】図1は、本公開の一実施例で提供する入力シリアルの処理方法のフローチャートである。
【図２】図2は、本公開の他の一実施例で提供する入力シリアルの処理装置の構造概略図である。
【図３】図3は、本公開の他の一実施例で提供する入力シリアルの処理装置の構造概略図である。
【発明を実施するための形態】
【００２３】
本公開の実施例の目的、技術案と利点を更によく明確にするために、以下で本公開の実施例における図面と結合して本公開の実施例における技術案を明瞭、完全に記述する。記述する実施例は単に本発明の一部の実施例に過ぎなく、全部の実施例ではないことは明確にしなければならない。本領域の技術者が、本公開の実施例に基づいて創造的な労働をしないで得た全てのその他の実施例は、全部本公開が保護する範囲内に属する。
【００２４】
本公開の実施例に関する端末は、携帯電話、個人データアシスタント（Personal Digital Assistant、PDA）、無線携帯デバイス、タブレットコンピューター（Tablet Computer）、個人コンピューター（Personal Computer、PC）、MP3プレイヤー、MP4プレイヤー、着用デバイス（例えば、スマート眼鏡、智能腕時計、スマートブレスレット（Smart Bracelet）等）等を含んでいてもよいが、これらに限定されない。
【００２５】
本文に使われる用語「及び/または」は単に関連対象の関連関係を記述し、三つの関係の存在可能を意味する。例えば、A及び/またはBは、Aが単独で存在したり、AとBが同時に存在したり、Bが単独で存在するという3種類の場合を表すことができる。また、本文で文字「/」は一般に前後関連対象が「または」である関係を表す。
【００２６】
図1は、本公開の一実施例で提供する入力シリアルの処理方法のフローチャートであり、図１に示すようである。
【００２７】
101、ユーザーのアプリにおける入力シリアルを獲得する。
【００２８】
所謂ユーザーの入力シリアルとは、ユーザーが入力方法アプリを利用して入力したディスプレイ表示項目であってもよい。
【００２９】
所謂入力方法とは、いろいろな文字を端末に入力するために利用するコーディング方法であり、異なる言語、国家、又は地域にはたくさんの異なる入力方法、例えば、ソーコウピンイン入力方法（Sogou input method）、バイドー入力方法（Baidu input method）、QQピンイン入力方法等がある。一般的には、入力方法アプリはユーザーが入力した文字シリアルを利用して、ユーザーに該文字シリアルに対応する幾らの候補項目を表示して、ユーザーに一つの候補項目を選択させてディスプレイ表示項目として入力操作を完了させる。
【００３０】
所謂アプリとは、入力方法アプリの以外の他の何れかのアプリ、例えば、携帯電話バイドーバイドウ（百度（Baidu））、携帯電話トーボー（淘宝(Taobao)）等のアプリであってもよく、本実施例はこれを特別に限定しない。
【００３１】
102、前記入力シリアルと前記ユーザーのユーザー特徴データに基づいて、拡張シリアルを獲得する。
【００３２】
103、前記拡張シリアルを利用して、前記入力シリアルを調整して調整シリアルを獲得し、前記アプリに前記調整シリアルを利用してアプリ関連の操作を行わせる。
【００３３】
ここで、101〜103の実行主体の一部又は全部は、ローカル端末に位置しているアプリ、例えば、入力方法アプリ、携帯電話のバイドウ（百度）アプリ、携帯電話淘宝アプリ等、またはローカル端末に位置しているアプリに設置されているプラグインまたはソフトウェア開発キット（Software Development Kit、SDK）等の機能手段であってもよく、またはネットワーク側のサーバにある処理エンジンであってもよく、またはネットワーク側にある分布式システムであってもよく、本実施例ではこれに対して特別に限定しない。
【００３４】
前記アプリは、端末にインストールしたネイティブアプリ（nativeApp）であってもよく、または端末におけるブラウザー上の一つのウェブページアプリ（webApp）であってもよく、本実施例ではこれに対して特別に限定しない。
【００３５】
このようにして、ユーザーのアプリでの入力シリアルを獲得し、さらに、前記入力シリアルと前記ユーザーのユーザー特徴データに基づいて、拡張シリアルを獲得して、前記拡張シリアルを利用して、前記入力シリアルを調整して調整シリアルを獲得するようにして、前記アプリに前記調整シリアルを利用してアプリ関連の操作を行わせ、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、従来技術でユーザーがアプリを利用して操作結果を繰り返して閲覧しまたは入力方法アプリを利用して入力を繰り返して行って、アプリと該アプリが利用する処理エンジンとの間のデータ交換を増加させる問題を回避でき、検索エンジンの処理負荷を低下させる。
【００３６】
好ましくは、本実施例の一つの可能な実現方式で、102の前に、さらに、前記ユーザーのアプリデータに基づいて、前記ユーザーのユーザー特徴データを獲得し、前記ユーザーのアプリデータは、前記ユーザーの入力データと所在端末の端末データにおける少なくとも一つを含んでいてもよいが、これに限定されなく、本実施例はこれを特別に限定しない。
【００３７】
本公開で、根拠となる前記ユーザーのユーザー特徴データは、具体的に、ユーザー属性データ、及び所在端末の環境データを含んでいてもよいがこれらに限定されない。
【００３８】
一方面で、前記ユーザー属性データは、ユーザーの性別、ユーザーの年齢、ユーザーの職業、ユーザーの学歴、及びユーザーの好みにおける少なくとも一つを含んでいてもよいが、これらに限定されない。
【００３９】
具体的な実現過程で、具体的に、ユーザーのアプリデータを収集してもよいが、ユーザーの入力データを含んでいてもよいが、これに限定されなく、さらに収集した前記アプリデータを分析し掘り出して、該ユーザーのユーザー属性データを獲得して、前記ユーザーのユーザー属性データに基づいて、102を実行させる。
【００４０】
ここで、前記ユーザーの入力データは、ユーザーが入力した情報、例えば登録情報、ブログ情報、イーメル情報等である。
【００４１】
例えば、ユーザーの端末における全部のアプリで入力した入力データを入力してもよく、またはさらにユーザーが端末での特定のアプリ（例えば入力方法アプリ、携帯電話のバイドウ（百度）アプリ等）で入力した入力データを収集してもよく、本実施例はこれを特別に限定しない。
【００４２】
本公開で利用した分析と掘り出しの具体的な方法は、従来技術での何れの方法と計略を利用してもよく、詳細な記述は、従来技術における関連内容を参照してもよく、ここでは重複に記載しない。
【００４３】
他の一方面で、所在端末の環境データは、端末のハードウェア環境データと端末のソフトウェア環境データにおける少なくとも一つを含んでいてもよいが、これに限定されていなく、本実施例はこれを特別に限定しない。
【００４４】
端末のハードウェア環境データは、端末のデバイス類型情報、端末の操作システム情報、端末のネットワーク情報及び端末の地理位置情報における一つまたは複数を含んでいてもよいが、これらに限定されない。
【００４５】
例えば、端末のデバイス類型情報は、携帯電話、タブレットコンピュータ（Tablet Computer）又はパーソナルコンピュータ（Personal Computer、PC）等を含んでいても良い。
【００４６】
又は、例えば、端末の操作システム情報は、アイホンのios操作システム、グーグルのアンドロイド操作システム、又はマイクロソフトのWindows（登録商標） Phone操作システム、又は他の移動端末操作システムを含んでいても良い。
【００４７】
又は、例えば、端末のネットワーク情報は、3Gネットワークまたは無線交換性検証（Wireless Fidelity、Wi-Fiと呼ぶ）ネットワーク、又は他の無線ネットワークを含んでいてもよい。
【００４８】
具体的に、従来技術におけるいろいろな方案を利用して、前記端末のハードウェア環境情報を獲得し、従来技術におけるいろいろな方案を利用でき、詳細な記述は従来技術における関連内容を参照してもよく、ここでは重複に記載しない。
【００４９】
端末のソフトウェア環境データは、端末が現在実行しているアプリを含んでいても良いが、これに限定されなく、本実施例はこれを特別に限定しない。
【００５０】
例えば、スマートフォンにおいて、アプリは、入力方法アプリを利用して情報入力のアプリケーション（Application、APP）、または入力方法アプリを利用して情報入力を行うブラウザにおけるウェブページ、又は、例えば、パーソナルコンピュータ（Personal Computer、PC）で、入力方法アプリを利用して情報入力を行うアプリケーション、又は入力方法アプリを利用して情報入力を行うブラウザにおけるウェブページ等であってもよい。
【００５１】
具体的に、従来技術におけるいろいろな方案を利用して、前記端末のソフトウェア環境情報を獲得し、詳細な記述は従来技術における関連内容を参照してもよく、ここでは重複に記載しない。
【００５２】
具体的な実現過程で、具体的にユーザーのアプリデータを収集してもよく、所在端末の端末データを含んでいても良いが、これに限定されなく、さらに収集した前記アプリデータを分析し掘り出して、所在端末の環境データを獲得して、前記ユーザーの所在端末の環境データに基づいて、102を実行するようにする。
【００５３】
ここで、所在端末の端末データは、端末自身のデータと端末にインストールしたアプリのデータである。
【００５４】
好ましくは、本実施例の一つの可能な実現方式で、102で、具体的に前記入力シリアルと前記ユーザーのユーザー特徴データに基づいて、予め構築した拡張モデルを利用して、一つの拡張シリアルを獲得する。
【００５５】
具体的に、ある訓練サンプルを利用して訓練して、拡張モデルを構築する。
【００５６】
ここで、訓練サンプル集に含まれている訓練サンプルは、標記した既知のサンプルであってもよく、このようにして、直接にこれらの既知のサンプルを利用して訓練して、拡張モデルを構築し、又は、さらに一部は標記した既知のサンプルで、他の一部は標記しなかった未知のサンプルであってもよいが、そうすると、先ず既知のサンプルを利用して訓練して、最初の拡張モデルを構築した後、最初拡張モデルを利用して未知のサンプルを評価して、評価結果を獲得し、さらに、未知のサンプルの評価結果を利用して、未知のサンプルを標記して、既知のサンプルを形成して、新たに増加した既知のサンプルとし、新たに増加した既知のサンプル及び元々の既知のサンプルを利用して、構築した拡張モデル又は既知のサンプルが拡張モデルの締め切り条件を満足するまでに、例えば、分類正確率が予め設置した正確率閾値以上又は既知のサンプルの数量が予め設置した数量閾値以上になるまでに再度訓練して、新の拡張モデルを構築してもよいが、本実施例はこれを特別に限定しない。
【００５７】
好ましくは、本実施例の一つの可能な実現方式で、103で、具体的に、前記拡張シリアルを前記入力シリアルに増加させて、前記調整シリアルを獲得する。
【００５８】
例えば、ユーザーの携帯電話のバイドウ（百度）アプリにおける入力シリアルは「服装」であると、前記入力シリアル「服装」と前記ユーザーのユーザー特徴データ「性別女」に基づいて、拡張シリアルを「女性」として獲得する。続いて、拡張シリアル「女性」を入力シリアル「服装」に増加させて、「服装  女性」 又は「女性  服装」との調整シリアルを獲得する。このようにして、携帯電話のバイドウ（百度）アプリは、調整シリアル「服装  女性」 又は「女性  服装」を利用して、検索操作を行う。
【００５９】
好ましくは、本実施例の一つの可能な実現方式で、103で、具体的に、前記拡張シリアルに基づいて、前記入力シリアルを修正して前記調整シリアルを獲得する。
【００６０】
例えば、ユーザーの携帯電話のバイドウ（百度）アプリにおける入力シリアルが「服装」であると、前記入力シリアル「服装」と前記ユーザーのユーザー特徴データ「性別女」に基づいて、「女性」の拡張シリアルを獲得する。接着、拡張シリアル「女性」に基づいて、入力シリアル「服装」を修正して、「女装」との調整シリアルを獲得する。このようにして、携帯電話のバイドウ（百度）アプリは、調整シリアル「女装」を利用して、検索操作を行う。
【００６１】
好ましくは、本実施例の一つの可能な実現方式で、102で、具体的に、前記アプリの入力場面が検索入力であるか否かを判断してもよい。前記アプリの入力場面が検索入力であると、前記入力シリアルと前記ユーザーのユーザー特徴データに基づいて、拡張シリアルを獲得する。前記アプリの入力場面が検索入力であれば、正常に該アプリの入力と操作を実行してもよい。
【００６２】
本実施例で、ユーザーのアプリでの入力シリアルを獲得し、さらに、前記入力シリアルと前記ユーザーのユーザー特徴データに基づいて、拡張シリアルを獲得して、前記拡張シリアルを利用して、前記入力シリアルを調整して調整シリアルを獲得するようにし、前記アプリに前記調整シリアルを利用してアプリ関連の操作を行わせ、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、従来技術でユーザーがアプリを利用して操作結果を繰り返して閲覧しまたは入力方法アプリを利用して入力を繰り返して行って、アプリと該アプリが利用する処理エンジンとの間のデータ交換を増加させる問題を回避でき、検索エンジンの処理負荷を低下させる。
【００６３】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、操作結果の有効性を有効に向上させる。
【００６４】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、検索の効率を有効に向上させる。
【００６５】
また、本公開で提供する技術案を利用すると、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、ユーザーの体験を極大に向上させる。
【００６６】
ここで、前記の各方法の実施例を簡単に記述するために、それを全部一連の動作の組合せとして記述したが、本公開によるとあるステップは他の順序で又は同時に実行してもよいので、本分野の当業者であれば、本公開はここで記述した動作順序に限定されないことを了解できる。また、本分野の当業者であれば、明細書に記載した実施例は全部好ましい実施例に属し、それに係る動作及びモジュールは本公開に必ずしも必要なものではないことを了解できる。
【００６７】
各実施例に対する記述は全部重点があり、ある実施例で詳細に記述しなかった部分は、他の実施例の関連記述を参照してもよい。
【００６８】
図2は、本公開の他の一実施例で提供する入力シリアルの処理装置の構造概略図であり、図2に示すようである。本実施例の入力シリアルの処理装置は、獲得手段21と、拡張手段22と、調整手段23とを含んでいても良い。ここで、獲得手段21は、ユーザーのアプリでの入力シリアルを獲得し、拡張手段22は、前記入力シリアルと前記ユーザーのユーザー特徴データに基づいて、拡張シリアルを獲得し、調整手段23は、前記拡張シリアルを利用して、前記入力シリアルを調整して調整シリアルを獲得し、前記アプリに前記調整シリアルを利用してアプリ関連の操作を行わせる。
【００６９】
ここで、本実施例で提供する入力シリアルの処理装置の一部又は全部は、ローカル端末に位置しているアプリ、例えば、入力方法アプリ等、またはローカル端末に位置しているアプリに設置されているプラグインまたはソフトウェア開発キット（Software Development Kit、SDK）等の機能手段であってもよく、またはネットワーク側のサーバにある処理エンジンであってもよく、またはネットワーク側にある分布式システムであってもよく、本実施例ではこれに対して特別に限定しない。
【００７０】
前記アプリは、端末にインストールしたネイティブアプリ（nativeApp）であってもよく、または端末におけるブラウザー上の一つのウェブページアプリ（webApp）であってもよく、本実施例ではこれに対して特別に限定しない。
【００７１】
好ましくは、本実施例の一つの可能な実現方式で、図3に示すように、本実施例で提供する入力シリアルの処理装置は、さらに、前記ユーザーのアプリデータに基づいて、前記ユーザーのユーザー特徴データを獲得する分析手段31を含んでいても良いが、前記ユーザーのアプリデータは、前記ユーザーの入力データと所在端末の端末データにおける少なくとも一つを含む。
【００７２】
本公開で、根拠となる前記ユーザーのユーザー特徴データは、具体的に、ユーザー属性データ、及び所在端末の環境データにおける少なくとも一つを含んでいてもよいが、これに限定されない。
【００７３】
好ましくは、本実施例の一つの可能な実現方式で、前記調整手段23は、具体的に、前記拡張シリアルを前記入力シリアルに増加して、前記調整シリアルを獲得してもよい。
【００７４】
好ましくは、本実施例の一つの可能な実現方式で、前記調整手段23は、具体的に、前記拡張シリアルに基づいて、前記入力シリアルを修正して前記調整シリアルを獲得してもよい。
【００７５】
好ましくは、本実施例の一つの可能な実現方式で、前記拡張手段22は、具体的に、前記アプリの入力場面が検索入力であれば、前記入力シリアルと前記ユーザーのユーザー特徴データに基づいて、拡張シリアルを獲得してもよい。
【００７６】
ここで、図1に対応する実施例における方法は、本実施例で提供する入力シリアルの処理装置によって実現される。詳細の記述は、図1に対応する実施例における関連内容を参照してもよいが、ここでは重複に記載しない。
【００７７】
本実施例で、獲得手段がユーザーのアプリでの入力シリアルを獲得し、さらに、拡張手段が前記入力シリアルと前記ユーザーのユーザー特徴データに基づいて、拡張シリアルを獲得して、調整手段が前記拡張シリアルを利用して、前記入力シリアルを調整して調整シリアルを獲得し、前記アプリに前記調整シリアルを利用してアプリ関連の操作を行わせ、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、従来技術でユーザーがアプリを利用して操作結果を繰り返して閲覧しまたは入力方法アプリを利用して入力を繰り返して行って、アプリと該アプリが利用する処理エンジンとの間のデータ交換を増加させる問題を回避でき、検索エンジンの処理負荷を低下させる。
【００７８】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、操作結果の有効性を有効に向上させる。
【００７９】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、検索の効率を有効に向上させる。
【００８０】
また、本公開で提供する技術案を利用して、入力方法アプリが入力した入力シリアルに完全に依存してアプリ関連の操作を実行せず、入力シリアルとユーザーのユーザー特徴データに基づいて獲得した拡張シリアルを考慮して、操作結果が基本的にユーザーの操作意図を満足するようにしたので、ユーザーの体験を極大に向上させる。
【００８１】
所属分野の当業者であれば、記述の便利と簡潔のために、上述記述のシステム、装置と手段の具体的な動作過程は、前述方法の実施例における対応する過程を参照できることを理解すべきで、ここで重複に記述しない。
【００８２】
本公開で提供する幾つかの実施例で開示したシステム、装置及び方法は、他の方式によって実現できるのは理解すべきである。例えば、以上に記載した装置の実施例はただ例示的なもので、例えば、前記手段の分割はただロジック機能の分割で、実際に実現する時は他の分割方式によってもよい。例えば、複数の手段又はモジュールは結合でき又は他の一つのシステムに集積でき、またはある特徴は無視し、または実行しなくてもよい。他に、示しまたは検討した互いの間の結合または直接に結合又は通信接続は、あるインタフェース、装置または手段の間接な接合又は通信接続によるものであってもよく、電気的、機械または他の形式であってもよい。
【００８３】
前記で分離部材として説明した手段は、物理的に分離したものであってもよく、物理的に分離しなかったものであってもよく、手段として示した部材は物理的な手段であってもよく、物理的な手段でなくてもよく、即ち、同一の位置にあってもよく、複数のネットワークユニットに分布されていてもよい。実際の必要によってそれにおける一部または全部手段を選択して、本実施例の方案の目的を実現してもよい。
【００８４】
また、本公開の各実施例における各機能手段は一つの処理モジュールに集積してもよく、各手段が物理的に単独に存在してもよく、二つ又は二つ以上の手段を一つの手段に集積してもよい。前記集積した手段は、ハードウェアの形式に実現してもよく、ハードウェアにソフトウェアの機能手段を結合する形式で実現してもよい。
【００８５】
上記のソフト機能手段の形式で実現した集積した手段は、一つのコンピューターが可読な記憶媒体に記憶してもよい。前記ソフト機能手段は一つの記憶媒体に記憶してもよく、複数の命令を含んで一つのコンピューターデバイス（パーソナルコンピューター、サーバ、又はネットワークデバイス等）又は処理モジュール（processor）によって、本公開の各実施例の前記方法の一部のステップを実行させてもよい。前記記憶媒体は、Uディスク、ポータブルハードウェア、読み出し専用メモリ（Read-Only Memory、ROM）、ランダムアクセスメモリ（Random Access Memory、RAM）、ディスク又は光ディスク等の複数のプログラムコードを記憶できる媒体を含む。
【００８６】
最後に、以上の実施例はただ本公開の技術案を説明するためのもので、それについての限定ではなく、前記実施例を参照して本発明を詳細に説明したが、本分野の当業者は、前記の各実施例に記載の技術案を修正でき、又はその一部の技術特徴を等価置換でき、これらの修正又は置換の技術案の本質は本公開の各実施例の技術案の主旨及び範囲を離脱しない。
【図１】
2018508081.tif 000003
【図２】
2018508081.tif 000004
【図３】
2018508081.tif 000005
【国際調査報告】
2018508081.tif 000006
2018508081.tif 000007
2018508081.tif 000008
2018508081.tif 000009